(57)【特許請求の範囲】
【請求項１】
絞り羽根を保持する保持枠に、前記絞り羽根を開閉動作させる駆動機構が装着される絞り機構において、
前記駆動機構として、前記絞り羽根を電動で開閉動作させる電動用駆動機構と、前記絞り羽根を手動で開閉動作させる手動用駆動機構のうち所望の駆動機構を装着可能にした共通の前記保持枠を備え、
前記保持枠には、前記駆動機構を保持する保持部が形成されると共に、該保持部の前記駆動機構が保持される保持面と反対の面側に、前記駆動機構の駆動ピンと係合して該駆動ピンの移動により前記絞り羽根を開閉動作させるピン係合部が配置され、前記保持面には、前記電動用駆動機構を前記保持枠に装着する場合における前記電動駆動機構の前記駆動ピンを駆動するためのアイリスメータの駆動軸を挿通する孔が形成されると共に、前記手動用駆動機構を前記保持枠に装着する場合における前記手動用駆動機構の前記駆動ピンを挿通する他の孔が形成されることを特徴とする絞り機構。
【請求項２】
前記電動用駆動機構又は前記手動用駆動機構は、前記保持枠に着脱自在であることを特徴とする請求項１の絞り機構。
【発明の詳細な説明】
【０００１】
【発明の属する技術分野】
本発明は絞り機構に係り、特に監視カメラ等に使用されるレンズ鏡胴の絞り機構に関する。
【０００２】
【従来の技術】
監視カメラ等に使用されるレンズ鏡胴の絞り機構は、一般に絞り羽根を保持すると共に絞り機構をレンズ鏡胴に保持するための保持枠があり、この保持枠に、絞り羽根を開閉動作させるための駆動機構が装着されて、絞り装置としてユニット化されている。
【０００３】
絞り羽根を開閉動作させるための駆動機構としては、例えば、アイリスメータを使用した電動（オート）用の駆動機構と、手動操作による手動（マニュアル）用の駆動機構との２つのタイプが知られている（特開平９−２８１５４６号公報、特開平１１−２３１１９０号公報等参照）。
【０００４】
【発明が解決しようとする課題】
しかしながら、従来、電動用駆動機構を備えた自動式の絞り機構と手動用駆動機構を備えた手動式の絞り機構とでは、絞り羽根や保持枠の形状、レンズ鏡胴との保持形状等が相違しており、両タイプの絞り機構をユーザのニーズに合わせて製造するようにすると、製造コストが高くなるという不具合があった。
【０００５】
本発明はこのような事情に鑑みてなされたもので、大幅なコストダウンを図ることができる絞り機構を提供することを目的とする。
【０００６】
【課題を解決するための手段】
本発明は、前記目的を達成するために、請求項１に記載の発明は、絞り羽根を保持する保持枠に、前記絞り羽根を開閉動作させる駆動機構が装着される絞り機構において、前記駆動機構として、前記絞り羽根を電動で開閉動作させる電動用駆動機構と、前記絞り羽根を手動で開閉動作させる手動用駆動機構のうち所望の駆動機構を装着可能にした共通の前記保持枠を備え、前記保持枠には、前記駆動機構を保持する保持部が形成されると共に、該保持部の前記駆動機構が保持される保持面と反対の面側に、前記駆動機構の駆動ピンと係合して該駆動ピンの移動により前記絞り羽根を開閉動作させるピン係合部が配置され、前記保持面には、前記電動用駆動機構を前記保持枠に装着する場合における前記電動駆動機構の前記駆動ピンを駆動するためのアイリスメータの駆動軸を挿通する孔が形成されると共に、前記手動用駆動機構を前記保持枠に装着する場合における前記手動用駆動機構の前記駆動ピンを挿通する他の孔が形成されることを特徴としている。
【０００７】
本発明によれば、共通の保持枠に電動用駆動機構と手動用駆動機構を装着できるようにしたため、電動用駆動機構と手動用駆動機構とを装着する場合とで、駆動機構以外の構成部材の構成、例えば、絞り羽根や保持枠の形状、レンズ鏡胴との保持形状を変える必要がなく、製造コストを大幅に低減することができる。
【０００８】
また、請求項２に記載のように前記電動用駆動機構又は前記手動用駆動機構を、前記保持枠に着脱自在にすることによって、電動用から手動用、又は、手動用から電動用への駆動機構の交換を容易に行うことができる。
【００１１】
【発明の実施の形態】
以下、添付図面に従って本発明に係る絞り機構の好ましい実施の形態について詳説する。
【００１２】
図１は、本発明に係る絞り機構が配置され、主に監視用カメラに使用されるレンズ鏡胴の構成を示した側面断面図である。同図に示すレンズ鏡胴１０は、前部固定筒１２、後部固定筒１４、及び、絞り機構の本体（絞り本体）１６とを備え、前部固定筒１２と後部固定筒１４との間に絞り本体１６を挟んで、これらの前部固定筒１２、後部固定筒１４、及び、絞り本体１６が図示しないネジにより固定されるようになっている。後部固定筒１４の後側には、ネジ部１８Ａが形成されたマウント環１８が配置されており、このマウント環１８によりレンズ鏡胴１０がカメラ本体（図示せず）に取り付けられるようになっている。
【００１３】
前部固定筒１２内には、レンズ枠２２に保持されたフォーカスレンズ（群）２０が配置される。レンズ枠２２には周面より突出した係合部２４、２４が形成され、一方、前部固定筒１２には光軸方向に直進溝１２Ａ、１２Ａが形成されており、レンズ枠２２の係合部２４、２４が前部固定筒１２の直進溝１２Ａ、１２Ａに係合することによってレンズ枠２２及びフォーカスレンズ２０が、直進溝１２Ａにガイドされて光軸方向に直進移動するようになっている。
【００１４】
前部固定筒１２の外周面にはフォーカスリング２６が回動可能に配置されており、このフォーカスリング２６の内周面にはカム溝２６Ａ、２６Ａが形成されている。前記レンズ枠２２の係合部２４、２４先端にはカムピン２４Ａ、２４Ａが突設されており、このカムピン２４Ａ、２４Ａがフォーカスリング２６のカム溝２６Ａ、２６Ａに係合する。従って、フォーカスリング２６を回動操作すると、フォーカスリング２６のカム溝２６Ａ、２６Ａと前部固定筒１２の直進溝１２Ａ、１２Ａとの交差位置が光軸方向に変位すると共に、その交差位置に従ってレンズ枠２２及びフォーカスレンズ２０が光軸方向に変位する。このようにフォーカスリング２６を回動操作することによってフォーカスレンズ２０の設定位置を調整してピント調整を行うことができる。
【００１５】
また、フォーカスリング２６には、外周面から内周面まで貫通するネジ孔２６Ｂが形成されており、このネジ孔２６Ｂにツマミ２８のネジ部２８Ａがねじ込まれてフォーカスリング２６にツマミ２８が取り付けられる。操作者はこのツマミ２８を使用してフォーカスリング２６を回動操作することもでき、一方、ツマミ２８のネジ部２８Ａをねじ込んでネジ部２８Ａ先端を前部固定筒１２の周面に押し当てることによって、フォーカスリング２６を所望のピント調整位置で固定しておくことができる。尚、フォーカスリング２６を回動操作するときにはツマミ２８を緩める。
【００１６】
後部固定筒１４内には、レンズ枠３２に保持されたズームレンズ（群）３０が配置される。レンズ枠３２には周面より突出した係合部３４、３４が形成され、一方、後部固定筒１４には光軸方向に直進溝１４Ａ、１４Ａが形成されており、レンズ枠３２の係合部３４、３４が後部固定筒１４の直進溝１４Ａ、１４Ａに係合することによってレンズ枠３２及びズームレンズ３０が、直進溝１４Ａ、１４Ａにガイドされて光軸方向に直進移動するようになっている。
【００１７】
後部固定筒１４の外周面にはズームリング３６が回動可能に配置されており、このズームリング３６の内周面にはカム溝３６Ａ、３６Ａが形成されている。尚、ズームリング３６の後端面には環状の凹部３６Ｃが形成されており、この凹部３６Ｃに前記マウント環１８の前端面に形成された環状の凸部１８Ｂが挿入するようになっている。また、マウント環１８は、後部固定筒１４にネジ３７により固定される。
【００１８】
前記レンズ枠３２の係合部３４、３４先端にはカムピン３４Ａ、３４Ａが突設されており、このカムピン３４Ａ、３４Ａがズームリング３６のカム溝３６Ａ、３６Ａに係合する。従って、ズームリング３６を回動操作すると、ズームリング３６のカム溝３６Ａ、３６Ａと後部固定筒１４の直進溝１４Ａ、１４Ａとの交差位置が光軸方向に変位すると共に、その交差位置に従ってレンズ枠３２及びズームレンズ３０が光軸方向に変位する。このようにズームリング３６を回動操作することによってズームレンズ３０の設定位置を調整して焦点距離（ズーム画角）を調整することができる。
【００１９】
また、ズームリング３６には、外周面から上記凹部３６Ｃまで貫通するネジ孔３６Ｂが形成されており、このネジ孔３６Ｂにツマミ３８のネジ部３８Ａがねじ込まれてズームリング３６にツマミ３８が取り付けられる。操作者はこのツマミ３８を使用してズームリング３６を回動操作することもでき、一方、ツマミ３８のネジ部３８Ａをねじ込んでネジ部３８Ａ先端を凹部３６Ｃに挿入されたマウント環１８の凸部１８Ｂに押し当てることによって、ズームリング３６を所望の焦点距離調整位置で固定しておくことができるようになっている。尚、ズームリング３６を回動操作するときにはツマミ３８を緩める。
【００２０】
尚、上記直進溝１２Ａ、レンズ枠２２の係合部２４、カムピン２４Ａ、カム溝２６Ａ、直進溝１４Ａ、レンズ枠３２の係合部３４、カムピン３４Ａ、カム溝３６Ａは、それぞれ図中上下２箇所に配置されているが、例えば円周３等分した３箇所に配置すると安定した移動を行うことができる。
【００２１】
絞り本体１６は、２枚の絞り羽根５０、５２と、絞り羽根５０、５２を後側で保持すると共に絞り本体１６をレンズ鏡胴１０（前部固定筒１２及び後部固定筒１４）に装着保持するための保持枠５４と、絞り羽根５０、５２を前側から押さえる押え板５６等の部材により構成される。また、詳細は後述するが、保持枠５４には、絞り羽根５０、５２を開閉動作させるための駆動機構を装着保持する保持部５８が一体形成されており、この保持部５８に、後述する電動用駆動機構又は手動用駆動機構が装着されるようになっている。電動用駆動機構は絞り羽根５０、５２を電動（アイリスメータ）により開閉動作させるための駆動機構であり、一方、手動用駆動機構は絞り羽根５０、５２を手動により開閉動作させるための駆動機構である。いずれの駆動機構を絞り本体１６の保持部５８に装着する場合であっても、絞り本体１６を構成する絞り羽根５０、５２、保持枠５４、押え板５６等の全ての部材は同一部材で構成される。したがって、電動用（オート式）又は手動用（マニュアル式）のいずれの絞り機構を使用する場合であっても絞り本体１６を共通に使用できるため製造コストを低減することができ、また、電動用から手動用、手動用から電動用の絞り機構に容易に変更することができる。
【００２２】
図２は、上記絞り本体１６のみの構成を示した側面断面図であり、図３（Ａ）、（Ｂ）、（Ｃ）はそれぞれ、上記絞り本体１６の外観を示した正面図、側面図、及び、背面図である。尚、図３においては絞り羽根５０、５２を省略している。
【００２３】
図２、図３の各図に示すように、保持枠５４は、主に絞り羽根５０、５２を収納保持する保持枠本体部６０（図中上側）と、上述のように駆動機構を装着保持する保持部５８（図中下側）とから構成される。保持枠本体部６０には絞り羽根５０、５２を収納する空間が前面側に設けられ、その前方に上記押え板５６が配置される。押え板５６は、図３に示すようにその両側辺の４箇所で垂直に折り曲げられた曲部６２、６２、６２、６２の各孔６２Ａ、６２Ａ、６２Ａ、６２Ａ  （図３（Ｂ）参照）が保持枠本体部６０の各爪６３、６３、６３、６３（図３  （Ｂ）参照）に係止されることにより、保持枠本体部６０に固定される。保持枠本体部６０と押え板５６の中央部には、それぞれレンズ鏡胴１０内に入射した被写体光が通過する開口６４、６６が形成されており、この開口６４、６６の位置において２枚の絞り羽根５０、５２により光量調整が行われるようになっている。尚、図３（Ａ）、（Ｂ）に示すように保持枠本体部６０の両側に突設された突片６７、６７には絞り本体１６をレンズ鏡胴１０に装着するためのネジ孔６７Ａ、６７Ａが形成されている。また、図３（Ａ）に示すように保持枠本体部６０には詳細を後述する絞り羽根５０、５２を直線運動に規制するための規制ピン９０、９０、９０、９０が左右に２個ずつ設けられている。
【００２４】
保持枠５４の保持部５８には、保持枠本体部６０よりも前方に突出して配置される保持板（保持面）６８が形成され、その保持板６８の背面側における側方  （図２中紙面垂直方向）及び下方（図２中下方向）を囲むように側板７０が形成される。尚、側板７０と保持枠本体部６０とが直接繋がっており、保持枠本体部６０と保持部５８（保持板６８及び側板７０）とが一体形成されている。尚、保持枠本体部６０と保持部５８は別体であってもよい。
【００２５】
図２に示すように保持部５８の上方には開口７２が形成されており、保持枠本体部６０に配置された絞り羽根５０、５２の基端部がこの開口７２を挿通して、保持板６８と側板７０で囲まれた空間部７４に配置されるようになっている。
【００２６】
保持板６８には、図２、図３に示すように４本の爪７６、７６、７６、７６が突設されると共に、図３（Ａ）、（Ｂ）に示すように所定径の円に添って配置された３つの突片７８、７９、７９が突設される。また、図２、図３（Ａ）、（Ｃ）に示すように保持板６８の中央部に円形の孔８０が穿設されると共に、所定径の円に沿って弧状の長孔８２、８４が穿設される。尚、これらの爪７６、突片７８、７９、孔８０、長孔８２、８４の作用については後述する。また、保持板６８に突設された円筒状の部材８６、８６は、保持部５８全体を覆う後述のカバーを装着するための部材である。また、保持板６８には、後述する駆動機構の部材を中央部の孔８０に嵌合させたときに孔８０の歪を吸収する矩形状の孔８７、８７、８７、８７が形成されている。
【００２７】
続いて、絞り羽根５０、５２の構成について説明すると、絞り羽根５０、５２はそれぞれ図４（Ａ）のように構成される。絞り羽根５０には、絞り開口を形成するための所定形状の切欠き５０Ａが形成されると共に、保持枠本体部６０の２本の規制ピン９０、９０と係合する直進溝５０Ｂ、５０Ｂと、後述の駆動ピンと係合する長溝５０Ｃが穿設される。同様に、絞り羽根５２には、絞り開口を形成するための所定形状の切欠き５２Ａが形成されると共に、保持枠本体部６０の３本の規制ピン９０、９０、９０と係合する直進溝５２Ｂ、５２Ｂ、５２Ｂと、後述の駆動ピンと係合する長溝５２Ｃが穿設される。
【００２８】
これらの絞り羽根５０、５２は、図４（Ｂ）に示すように上下に重ね合わされて保持枠５４に配置され、絞り羽根５０の切欠き５０Ａと絞り羽根５２の切欠き５２Ａにより絞り開口９２の輪郭が形成されるようになっている。
【００２９】
図５（Ａ）、（Ｂ）はそれぞれ、保持枠５４と、保持枠５４に配置した絞り羽根５０、５２との位置関係を示した正面図及び背面図である。これらの図に示すように絞り羽根５０、５２により形成される絞り開口９２は保持枠５４の保持枠本体部６０に形成された開口６４の位置に配置され、絞り羽根５０、５２の長溝５０Ｃ、５２Ｃが形成された基端部は上述のように保持部５８の空間部７４（保持板６８の背面側）に配置される。絞り羽根５０、５２の各直進溝５０Ｂ、５２Ｂは、それぞれ保持枠本体部６０の対応した位置の規制ピン９０と係合しており、絞り羽根５０、５２は、紙面上下方向の往復動作のみに規制される。また、絞り羽根５０、５２の基端部に形成された長溝５０Ｃ、５２Ｃはそれぞれ、保持板６８の弧状の長孔８２、８４に対抗する位置に配置される。各長溝５０Ｃ、５２Ｃに係合する駆動ピンは、電動用駆動機構と手動用駆動機構のいずれの場合でも長孔８２、８４に添って駆動機構により揺動するようになっており、その駆動ピンが揺動することによって、駆動ピンに連動して絞り羽根５０、５２が図中上下方向に往復動作する。
【００３０】
図６（Ａ）、（Ｂ）、（Ｃ）は、駆動機構による駆動ピンの動作と、絞り羽根５０、５２の開閉動作を示した図であり、同図には、絞り羽根５０、５２、駆動ピン９４、９６の他、保持枠５４における保持枠本体部６０の開口６４及び規制ピン９０、９０、９０、９０と、保持部５８の孔８０及び長孔８２、８４が示されている。駆動ピン９４、９６は、孔８０の中心位置Ｐに対して対象の位置に配置されると共に、中心位置Ｐを軸として駆動ピン９４と駆動ピン９６が連動して回動する。駆動ピン９４、９６が図中反時計回りに回動し、図６（Ａ）に示す端位置に移動した場合には、絞り羽根５０が紙面上方に移動する一方、絞り羽根５２が紙面下方に移動し、絞り開口９２は閉鎖される。これによって、保持枠本体部６０の開口６４は遮蔽され、被写体光が通過しない状態となる。一方、図６  （Ａ）の状態から駆動ピン９４、９６が図中時計回りに回動し図６（Ｂ）に示す中間位置に向かって移動すると、絞り羽根５０が紙面上方に向かって移動する一方、絞り羽根５２が紙面下方に向かって移動し、絞り開口９２が広がっていく。更に、駆動ピン９４、９６が図中時計回りに回動し、図６（Ｃ）に示す端位置に移動すると、絞り開口９２が最大となり、保持枠本体部６０の開口６４全体を被写体光が通過できる状態となる。
【００３１】
次に、上記絞り本体１６の保持枠５４（保持部５８）に駆動機構を装着した場合の絞り機構の構成を示す。まず、上記絞り羽根５０、５２を手動（マニュアル）により駆動するための手動駆動機構を上記絞り本体１６の保持枠５４に装着した場合の構成について説明する。図７は、手動駆動機構を上記保持枠５４に装着した場合の絞り機構であって、その絞り機構をレンズ鏡胴１０に装着した状態を示した側面断面図であり、図８（Ａ）、（Ｂ）はそれぞれ、その絞り機構のみを示した正面図及び背面図である。尚、図８では絞り羽根５０、５２を省略して示している。これらの図に示すように手動用駆動機構１００には、正面側が閉鎖され背面側が開口された略円筒状のアイリスリング１０２が配置される。アイリスリング１０２の内部中央には、回転軸１０４が突設されており、この回転軸１０４が保持板６８の中央部に形成された上記孔８０に嵌入される。また、アイリスリング１０２の外周面１０６が保持板６８に突設された突片７８、７９、７９の内周面に係合する。これによって、アイリスリング１０２は、保持板６８に回動自在に保持される。また、回転軸１０４には、ネジ孔１０４Ａが形成されており、そのネジ孔１０４Ａに保持板６８の背面側からネジ１０８を締め込むことによって、アイリスリング１０２が保持板６８から外れないようになっている。
【００３２】
アイリスリング１０２の外周面１０６には、回転軸１０４に対して対称に２つの駆動ピン取付部１１０、１１２が形成されており、これらの駆動ピン取付部１１０、１１２は保持板６８の長孔８２、８４を挿通して保持板６８の背面側（空間部７４内）まで延設される。その駆動ピン取付部１１０、１１２の各先端部に、上述のように絞り羽根５０、５２の各長溝５０Ｃ、５２Ｃ（図６参照）に係合する駆動ピン９４、９６が取り付けられる。従って、アイリスリング１０２を回動操作すると、駆動ピン９４、９６が回転軸１０４を中心に回動し、図６で示したように絞り羽根５０、５２が開閉動作する。
【００３３】
また、アイリスリング１０２にはツマミ取付部１１４が形成されると共に、このツマミ取付部１１４は、保持板６８の突片７８の外周面よりも外側に突設される。ツマミ取付部１１４には、突片７８の外周面まで貫通するネジ孔１１４Ａが形成されており、このネジ孔１１４Ａにツマミ１１６のネジ部１１６Ａをねじ込むことによってツマミ１１６がツマミ取付部１１４に取り付けられる。
【００３４】
ツマミ１１６は、レンズ鏡胴１０より露出した保持部５８全体を覆うカバー１１８の開口１１８Ａよりも外側に露出しており、操作者は、このツマミ１１６を使用してアイリスリング１０２を回動操作することができるようになっている。また、ツマミ１１６をねじ込み、ネジ部１１６Ａの先端を突片７８の外周面に押し当てることにより、所望の絞り調整位置でアイリスリング１０２を固定することができる。尚、アイリスシング１０２を回動操作する場合にはツマミ１１６を緩める。
【００３５】
次に、上記絞り羽根５０、５２を電動（オート）により駆動するための電動用駆動機構を上記絞り本体１６の保持枠５４（保持部５８）に装着した場合の構成について説明する。図９は、電動用駆動機構を上記絞り本体１６の保持枠５４に装着した場合の絞り機構であって、その絞り機構をレンズ鏡胴１０に装着した状態を示した側面断面図であり、図１０（Ａ）、（Ｂ）はそれぞれ、その絞り機構のみを示した正面図及び背面図である。尚、図１０では絞り羽根５０、５２を省略して示している。これらの図に示すように電動用駆動機構１３０には、アイリスメータ１３２が配置される。アイリスメータ１３２の構成の詳細については省略するが、アイリスメータ１３２は、主として鉄製の円筒枠１３４と、その円筒枠１３４内に配置されるコイル配置部１３６とから構成される。コイル配置部１３６は、中心部の回転軸（駆動軸）１３８を回動するための駆動コイルなどが配置されたものであり、そのコイル配置部１３６の各枠体１４０に形成された段差１４０Ａが保持板６８に突設された各爪７６と係合することによって、コイル配置部１３６が保持板６８に装着されるようになっている。また、円筒枠１３４は、保持板６８に突設された突片７８、７９、７９と係合して保持板６８に保持される。
【００３６】
回転軸１３８は、保持板６８の孔８０を挿通して保持板６８の背面側（空間部７４）に突設されており、空間部７４において回転軸１３８にレバー１４２が固定部材１４４により固定される。そして、レバー１４２の両腕部の先端には、上述したように絞り羽根５０、５２の長溝５０Ｃ、５２Ｃに係合する駆動ピン９４、９６が取り付けられるようになっている。
【００３７】
これにより、アイリスメータ１３２を電気的に制御して回転軸１３８を回動させると、レバー１４２が回動すると共に図６で示したように駆動ピン９４、９６が回転軸１３８を中心に揺動し、上述のように絞り羽根５０、５２が開閉動作する。
【００３８】
尚、図７のように手動用駆動機構を保持枠５４に装着した絞り本体１６をレンズ鏡胴１０に装着した場合と同様に、電動用駆動機構を保持枠５４に装着した場合も図９に示すように保持部５８全体を覆うカバー１１８が取り付けられており、その開口１１８Ａは、遮蔽部材１５０を取り付けることによって遮蔽できるようになっている。
【００３９】
以上、上記実施の形態では、手動用駆動機構と電動用駆動機構のいずれか一方を絞り本体１６に装着できるようにしたが、これに限らず、手動用駆動機構と電動用駆動機構の両方を同時に絞り本体１６に装着できるようにし、所望の駆動機構で絞り調整を行えるようにしてもよい。図１１は、この場合の絞り機構の構成を示した側面断面図である。同図において、絞り本体１６及び電動用駆動機構１３０の構成、作用は、図９に示した場合と同一であるため、これらの構成、作用の説明を省略すると、手動用駆動機構１６０は、絞り羽根５０、５２を挟んで、電動用駆動機構１３０と対向して装着できるようになっている。手動用駆動機構１６０を装着する場合、絞り本体１６の保持部５８における背面側の開口に、手動用保持板１６２が配置される。尚、手動用保持板１６２は保持部５８の側板７０にネジ等によって固定できるようになっている。手動用保持板１６２の中央部には、背面側に突出した軸部１６４が形成されており、この軸部１６４にアイリスリング１６６が回動自在に支持される。アイリスリング１６６は、軸部１６４のネジ孔１６４Ａに取り付けられた止めネジ１６７によって軸部１６４から外れないようになっている。尚、アイリスリング１６６と手動用保持板１６２との間にはアイリスリング１６６にトルクを与えるための波板バネ１６８が配置されている。
【００４０】
また、図１２のように上記手動用保持板１６２を背面側から示すと、保持板６８と対向する位置に保持板６８と同様の長孔１７０、１７２が形成される。一方、図１３のようにアイリスリング１６６を正面側から示すと、アイリスリング１６６の前端には、回転軸に対して対称に駆動ピン取付部１７４、１７６が突設される。駆動ピン取付部１７４、１７６は、手動用保持板１６２の長孔１７０、１７２を挿通し、その先端に駆動ピン９４、９６のそれぞれの一方の端部が取り付けられる。
【００４１】
これによって、アイリスリング１６６を回動操作すると、駆動ピン９４、９６が揺動し、絞り羽根５０、５２が開閉動作する。
【００４２】
また、アイリスリング１６６には、軸部１６４まで貫通するネジ孔１６６Ａが形成されており、このネジ孔１６６Ａにツマミ１７８のネジ部１７８Ａをねじ込むことによってアイリスリング１６６にツマミ１７８が取り付けられるようになっている。このツマミ１７８を使用してアイリスリング１６６を回動操作することができると共に、ツマミ１７８をねじ込み、ネジ部１７８Ａの先端を軸部１６４に押し当てることによってアイリスリング１６６を所望の絞り調整位置で固定しておくことができる。
【００４３】
以上のように絞り本体１６に電動用駆動機構と手動用駆動機構とを同時に装着しておくことによって、駆動機構を交換することなく、電動（オート方式）でも手動（マニュアル方式）でも絞り調整を行うことができるようになる。尚、図１１の構成ＮＯにおいて、電動用駆動機構と手動用駆動機構のいずれか一方のみを絞り本体１６の保持枠５４に装着するようにしてもよい。
【００４４】
以上、上記実施の形態で示した絞り機構の構成においては、接着剤などを使用せずに絞り本体１６の保持枠５４（保持部５８）に電動用駆動機構又は手動用駆動機構を装着しているため、装着した駆動機構を保持枠５４から取り外すこともできるが、取外しができないような手段によって駆動機構を保持枠５４に装着するようにしてもよい。
【００４５】
また、上記絞り機構は、絞り開口を２枚の絞り羽根５０、５２により調整するようにしたものであるが、これに限らず、他の構成により絞り開口を調整する絞り機構においても上記実施の形態に示した保持部５８と同様の構成を備えることによって本発明を適用できる。
【００４６】
【発明の効果】
以上説明したように本発明に係る絞り機構によれば、共通の保持枠に電動用駆動機構と手動用駆動機構を装着できるようにしたため、電動用駆動機構と手動用駆動機構とを装着する場合とで、駆動機構以外の構成部材の構成、例えば、絞り羽根や保持枠の形状、レンズ鏡胴との保持形状を変える必要がなく、製造コストを大幅に低減することができる。
【図面の簡単な説明】
【図１】図１は、本発明に係る絞り機構が配置され、主に監視用カメラに使用されるレンズ鏡胴の構成を示した側面断面図である。
【図２】図２は、絞り本体のみの構成を示した側面断面図である。
【図３】図３（Ａ）、（Ｂ）、（Ｃ）は、それぞれ絞り本体の外観を示した正面図、側面図、及び、背面図である。
【図４】図４（Ａ）、（Ｂ）は、絞り羽根の構成を示した正面図である。
【図５】図５（Ａ）、（Ｂ）はそれぞれ、絞り本体の保持枠と、保持枠に配置した絞り羽根との位置関係を示した正面図及び背面図である。
【図６】図６（Ａ）、（Ｂ）、（Ｃ）は、駆動機構による駆動ピンの動作と、絞り羽根の開閉動作を示した図である。
【図７】図７は、手動駆動機構を上記絞り本体の保持部（保持枠）に装着した場合の絞り機構であって、その絞り機構をレンズ鏡胴に装着した状態を示した側面断面図である。
【図８】図８（Ａ）、（Ｂ）はそれぞれ、図７の絞り機構のみを示した正面図及び背面図である。
【図９】図９は、電動用駆動機構を絞り本体の保持部（保持枠）に装着した場合の絞り機構であって、その絞り機構をレンズ鏡胴に装着した状態を示した側面断面図である。
【図１０】図１０（Ａ）、（Ｂ）はそれぞれ、図９の絞り機構のみのを示した正面図及び背面図である。
【図１１】図１１は、手動用駆動機構と電動用駆動機構の両方を同時に絞り本体の保持枠に装着できるようにした場合の絞り機構の構成を示した側面断面図である。
【図１２】図１２は、図１１における手動用保持板の構成を示した背面図である。
【図１３】図１３は、図１１におけるアイリスリングの構成を示した正面図である。
【符号の説明】
１０…レンズ鏡胴、１２…前部固定筒、１４…後部固定筒、１６…絞り本体、２０…フォーカスレンズ、２６…フォーカスリング、３０…ズームレンズ、３６…ズームリング、５０，５２…絞り羽根、５０Ｂ，５２Ｂ…直進溝、５０Ｃ，５２Ｃ…長溝、５４…保持枠、５６…押え板、５８…保持部、６０…保持枠本体部、６４，６６…開口、６８…保持板、７０…側板、７６…爪、７８，７９…突片、８０…孔、８２，８４…長孔、９０…規制ピン、９２…絞り開口、９４，９６…駆動ピン、１００…手動用駆動機構、１０２…アイリスリング、１０４…回転軸、１１４…ツマミ取付部、１１８…カバー、１３０…電動用駆動機構、１３２…アイリスメータ、１３４…円筒枠、１３６…コイル配置部、１３８…回転軸、１６２…手動用保持板、１６４…軸部、１６６…アイリスリング、１７０，１７２…長孔
【図１】
0003959614.tif 000002
【図２】
0003959614.tif 000003
【図３】
0003959614.tif 000004
【図４】
0003959614.tif 000005
【図５】
0003959614.tif 000006
【図６】
0003959614.tif 000007
【図７】
0003959614.tif 000008
【図８】
0003959614.tif 000009
【図９】
0003959614.tif 000010
【図１０】
0003959614.tif 000011
【図１１】
0003959614.tif 000012
【図１２】
0003959614.tif 000013
【図１３】
0003959614.tif 000014